(57)【要約】【課題】ドラムの裏面のヘッドを表面から安定した状態でチューニングすることができる耐久性の高いドラムのヘッド調整装置及びドラムを提供する。【解決手段】上側ヘッド３の張りを調整する上側アジャストボルト１３と、下側ヘッド４の張りを調整する下側アジャストボルト１４と、上部で上側アジャストボルト１３と螺合し、下部で下側アジャストボルト１４と螺合するパイプナット１２と、そのパイプナット１２に挿入されるロッド部材１９とを備える。ロッド部材１９は、上部を上側アジャストボルト１３に対して独立して回動可能に貫入され、下部を下側アジャストボルト１４に垂直方向に相対摺動可能にかつ下側アジャストボルト１４と一体して回動するように連結される。さらに、ロッド部材１９はロッド部材１９の上部より径が大きい延長パイプ２１を有し、上側アジャストボルト１３の下端面と延長パイプ２１の上端面とが当接するように構成されている。【選択図】      図２
2005189350.tif 000002
【特許請求の範囲】
【請求項１】
ドラムの胴体部の外周に複数個取り付けられて、前記ドラムの上側ヘッドおよび下側ヘッドの張りを調整するドラムのヘッド調整装置において、
上側ヘッドの張りを調整するよう操作される第１のボルトと、
下側ヘッドの張りを調整するよう操作される第２のボルトと、
前記ドラムの胴体部の外周に固定されて前記第１のボルトと螺合する第１の螺合部と、
前記ドラムの胴体部の外周に固定されて前記第２のボルトと螺合する第２の螺合部と、
上部を前記第１のボルトに対して独立して回動可能に当該第１のボルトに貫入され、下部を前記第２のボルトに垂直方向に相対摺動可能にかつ当該第２のボルトと一体して回動するように連結されるロッド部材とを備え、
前記ロッド部材は当該ロッド部材の上部より径が大きく形成される円柱部を有し、前記第１のボルトの下端面と前記円柱部の上端面とが当接していること
を特徴とするドラムのヘッド調整装置。
【請求項２】
前記ロッド部材は、
上側ロッドと、
当該上側ロッドと連結される前記円柱部としてのパイプと、
当該パイプと連結される下側ロッドとを有し、
前記第１のボルトを貫通する前記上側ロッドの下端部は前記パイプに挿入されて固定されており、前記第２のボルトと嵌合する前記下側ロッドの上端部は前記パイプに挿入されて固定されていること
を特徴とする請求項１に記載のドラムのヘッド調整装置。
【請求項３】
前記第１のボルトの下端面と前記パイプの上端面とは、ワッシャーを介して当接していること
を特徴とする請求項２に記載のドラムのヘッド調整装置。
【請求項４】
前記上側ロッドは、その頭部が下部より径が大きく形成されており、当該頭部の下端面と前記第１のボルトの上端面との間に弾性部材からなるワッシャーが設けられていること
を特徴とする請求項２又は請求項３に記載のドラムのヘッド調整装置。
【請求項５】
請求項２乃至請求項４のいずれか１項に記載のドラムのヘッド調整装置において、上部に前記第１の螺合部を有し下部に前記第２の螺合部を有する筒状部材と、前記筒状部材の外周に固定される固定部材とを備え、前記筒状部材は前記固定部材によって前記ドラムの胴体部に固定されており、
当該固定部材は、前記筒状部材の外壁を貫通して当該筒状部材の内空部に一部が突出するとともに、前記第１のボルト及び第２のボルトの少なくとも一方の外周に当接するように配設されたストッパーを有すること
を特徴とするドラムのヘッド調整装置。
【請求項６】
前記ストッパーは弾性部材である請求項５に記載のドラムのヘッド調整装置。
【請求項７】
請求項１乃至請求項６のいずれか１項に記載のドラムのヘッド調整装置を備えたドラム。
【発明の詳細な説明】
【技術分野】
【０００１】
本発明は、ドラムのヘッド調整装置及びドラムに関する。
【背景技術】
【０００２】
従来、バスドラムやスネアドラム等のドラムをチューニングする場合、まず個々のドラムを単体で床に置いて、水平な状態でドラムの表面のヘッドの張りを調節してチューニングを行い、ドラム全体を裏返して同様に裏面のチューニングを行っていた。そして、チューニングを行った後に、ホルダー等によって、ドラムを角度の付いた状態にドラムセットとして組み込みセットしていた。しかし、床に置いた時の水平状態とドラムセットに組み込んだ時の角度の付いた状態とでは、設置状態が異なるために微妙な音の変化が発生する。このため、セット後に再度チューニングを行う必要があった。しかし、このセッティング後の状態では、ドラムの設置状態が斜めである上、特にドラムの裏面には手が届きにくくチューニング作業がやりにくいという問題があった。また、完全に手が届かない場合には、一度ドラムをセットから外して裏面のチューニングをしなければならず、作業に非常に手間がかかっていた。また、セットから外した状態では、音を確認しながらの微妙な音色の調整ができないという問題も指摘されていた。
【０００３】
そこで、このような問題を解決するため、ドラムをセッティングした状態で表側から裏面のチューニングができるようにしたものが知られている（特許文献１参照）。図６は、このようなドラムのヘッド調整機構の代表的な構成の一例を示す要部断面図である。
【０００４】
図６に示すように、ドラムには、上下両端が開放された円筒状の胴体部４１が設けられ、その胴体部４１の両端開放面を塞ぐように円盤形状の上側ヘッド４２、下側ヘッド４３がそれぞれ設けられている。上側ヘッド４２はその外周縁を、胴体部４１の外周に嵌合される環状の上側ヘッド枠４４によって保持されている。上側ヘッド枠４４のさらに外側には、同じく胴体部４１の外周に嵌合される環状の上側フープ４５が設けられている。同様に下側ヘッド４３はその外周縁を、胴体部４１の外周に嵌合される環状の下側ヘッド枠４６によって保持されている。下側ヘッド枠４６のさらに外側には、同じく胴体部４１の外周に嵌合される環状の下側フープ４７が設けられている。
【０００５】
このように配置される各ヘッドの張りを調整するヘッド調整機構４８には、胴体部４１の外周にパイプ受け４９によって固定されるパイプナット５０と、そのパイプナット５０と上側フープ４５を連結する上側アジャストボルト５１、パイプナット５０と下側フープ４７を連結する下側アジャストボルト５２が設けられている。上側アジャストボルト５１は断面円形状の中空筒状として形成され、下側アジャストボルト５２の上部は断面六角形形状の中空として形成されている。そして、角頭ロッド５３が上側アジャストボルト５１の上方から挿入され、下側アジャストボルト５２の内部まで到達する形態で設けられている。この時、角頭ロッド５３と下側アジャストボルト５２とは、下側アジャストボルト５２における断面六角形状の中空部分において上下方向に摺動可能にかみ合っているため、角頭ロッド５３の回転に伴って下側アジャストボルト５２も回転する。また、上側アジャストボルト５１における角頭ロッド５３の挿入部分には、上側アジャストボルト５１の側方から挿入固定されたピン５４が角頭ロッド５３の頭部における段差部分に係合しており、角頭ロッド５３は、上側アジャストボルト５１に対して回動可能であるが、抜け出ないようになっている。
【０００６】
以上の構成により、上側アジャストボルト５１を回転させて、上側フープ４５を上側ヘッド枠４４に押し付けて、上側ヘッド枠４４を軸線に沿う下方向へ移動させることにより、上側ヘッド４２の張りを調整できるようになっている。一方、上側アジャストボルト５１から突出した角頭ロッド５３を回転させると、角頭ロッド５３に連結された下側アジャストボルト５２が回転する。そして、上側と同様の原理により、下側フープ４７を下側ヘッド枠４６に押し付けて、下側ヘッド枠４６を軸線に沿う上方向へ移動させることにより、下側ヘッド４３の張りを調整できるようになっている。このとき、下側アジャストボルト５２が上方向に変位するが、下側アジャストボルト５２と、角頭ロッド５３の下部は摺動可能にかみ合っている。また、回転された角頭ロッド５３の上部が固定ピン５３により軸方向に変位しないように固定されている。このため、角頭ロッド５３が下側アジャストボルト５２の変位に伴って上方向に変位することはない。
【０００７】
このように、ドラムの表面と裏面（図６では上側ヘッド４２および下側ヘッド４３が相当する。）の双方を、ドラムをセッティングした状態で表側からチューニングすることができるとされていた。
【特許文献１】米国特許第２１７２５７８号明細書（請求項１、図２）
【発明の開示】
【発明が解決しようとする課題】
【０００８】
しかしながら、以上の構成によるドラムのヘッド調整機構においても以下のような問題があった。すなわち、下側ヘッド４３を例えば張る方向にチューニングする場合、下側アジャストボルト５２は回転しながら上方向へ移動する。この時、下側アジャストボルト５２とかみ合っている角頭ロッド５３が一緒に回転するが、回転方向の力や芯のずれによって角頭ロッド５３が下側アジャストボルト５２と円滑に摺動しない状態では、上方向に変位する下側アジャストボルト５２から軸方向の力を受けることとなる。このため、角頭ロッド５３の抜け防止としての機能を果たしているピン５４に、全ての軸方向荷重がかかってしまい、簡単にピン５４が折れたり抜けたりするなどの問題が生じていた。
【０００９】
上記問題を解決するため、本発明は、ドラムの裏面のヘッドを表面から安定した状態でチューニングすることができる耐久性の高いドラムのヘッド調整装置及びドラムを提供することにある。
【課題を解決するための手段】
【００１０】
上記目的を達成するために、請求項１に係るドラムのヘッド調整装置は、ドラムの胴体部の外周に複数個取り付けられて、前記ドラムの上側ヘッドおよび下側ヘッドの張りを調整するドラムのヘッド調整装置において、上側ヘッドの張りを調整するよう操作される第１のボルトと、下側ヘッドの張りを調整するよう操作される第２のボルトと、前記ドラムの胴体部の外周に固定されて前記第１のボルトと螺合する第１の螺合部と、前記ドラムの胴体部の外周に固定されて前記第２のボルトと螺合する第２の螺合部と、上部を前記第１のボルトに対して独立して回動可能に当該第１のボルトに貫入され、下部を前記第２のボルトに垂直方向に相対摺動可能にかつ当該第２のボルトと一体して回動するように連結されるロッド部材とを備え、前記ロッド部材は当該ロッド部材の上部より径が大きく形成される円柱部を有し、前記第１のボルトの下端面と前記円柱部の上端面とが当接していることを要旨とする。
【００１１】
請求項２に係るドラムのヘッド調整装置は、請求項１に記載のドラムのヘッド調整装置において、前記ロッド部材は、上側ロッドと、当該上側ロッドと連結される前記円柱部としてのパイプと、当該パイプと連結される下側ロッドとを有し、前記第１のボルトを貫通する前記第１のロッドの下端部は前記パイプに挿入されて固定されており、前記第２のボルトと嵌合する前記下側ロッドの上端部は前記パイプに挿入されて固定されていることを要旨とする。
【００１２】
請求項３に係るドラムのヘッド調整装置は、請求項２に記載のドラムのヘッド調整装置において、前記第１のボルトの下端面と前記パイプの上端面とは、ワッシャーを介して当接していることを要旨とする。
【００１３】
請求項４に係るドラムのヘッド調整装置は、請求項２又は請求項３に記載のドラムのヘッド調整装置において、前記上側ロッドは、その頭部が下部より径が大きく形成されており、当該頭部の下端面と前記第１のボルトの上端面との間に弾性部材からなるワッシャーが設けられていることを要旨とする。
【００１４】
請求項５に係るドラムのヘッド調整装置は、請求項２乃至請求項４のいずれか１項に記載のドラムのヘッド調整装置において、上部に前記第１の螺合部を有し下部に前記第２の螺合部を有する筒状部材と、前記筒状部材の外周に固定される固定部材とを備え、前記筒状部材は前記固定部材によって前記ドラムの胴体部に固定されており、当該固定部材は、前記筒状部材の外壁を貫通して当該筒状部材の内空部に一部が突出するとともに、前記第１のボルト及び第２のボルトの少なくとも一方の外周に当接するように配設されたストッパーを有することを要旨とする。
【００１５】
請求項６に係るドラムのヘッド調整装置は、請求項５に記載のドラムのヘッド調整装置において、前記ストッパーは弾性部材であることを要旨とする。
請求項７に係るドラムは、請求項１乃至請求項６のいずれか１項に記載のドラムのヘッド調整装置を備えたことを要旨とする。
【発明の効果】
【００１６】
本発明によれば、ドラムの裏面のヘッドを表面から安定した状態でチューニングすることができる耐久性の高いドラムのヘッド調整装置及びドラムとすることができる。
【発明を実施するための最良の形態】
【００１７】
以下、本発明のドラムのヘッド調整装置及びドラムを具体化した一実施形態を図１〜図５にしたがって説明する。
図１は、本実施形態におけるドラム１の全体を示す外観斜視図である。図１に示すように、ドラム１は上下両端が開放された円筒状の胴体部２を備え、円盤形状の上側ヘッド３、下側ヘッド４が胴体部２の両端開放面を塞ぐようにそれぞれ設けられている。胴体部２の外周には、上側ヘッド３および下側ヘッド４の張りを調整するためのヘッド調整装置５が複数個（本実施形態では４つ）設けられている。
【００１８】
図２は、図１のＡ−Ａ線における部分断面図であって、本実施形態の要部構成を説明する図である。図２に示すように、上側ヘッド３はその外周縁を、胴体部２の外周に嵌合される環状の上側ヘッド枠６によって保持されている。上側ヘッド枠６のさらに外側には、同じく胴体部２の外周に嵌合される環状の上側フープ７が設けられている。同様に、下側ヘッド４はその外周縁を、胴体部２の外周に嵌合される環状の下側ヘッド枠８によって保持されており、下側ヘッド枠８のさらに外側には、同じく胴体部２の外周に嵌合される環状の下側フープ９が設けられている。
【００１９】
一方、ヘッド調整装置５には、胴体部２の外周に２つの固定部材１０、１１によって固定されるパイプナット１２と、そのパイプナット１２と上側フープ７を連結する上側アジャストボルト１３、パイプナット１２と下側フープ９を連結する下側アジャストボルト１４が設けられている。上側アジャストボルト１３および下側アジャストボルト１４には、共に右ねじが切ってある。また、上側アジャストボルト１３は断面円形状の中空筒状部材として形成され、パイプナット１２の上部に挿入され、パイプナット１２内部の上部に形成された雌ねじ部１２ａにて螺合している。また、上側アジャストボルト１３の回転操作部としての頭部１３ａの下面と上側フープ７との結合面間には、ワッシャー１５およびワッシャー１６が挿入されている。一方、下側アジャストボルト１４は、その上部（図２における上側を上として以下説明する。）の一部が断面六角形形状である中空筒状部材として形成され、パイプナット１２の下部に挿入され、パイプナット１２内部の下部に形成された雌ねじ部１２ｂにて螺合している。また、下側アジャストボルト１４の回転操作部としての頭部１４ａの上面と下側フープ９との結合面間には、ワッシャー１７およびワッシャー１８が挿入されている。そして、ロッド部材１９が、上側アジャストボルト１３の上方から挿入されており、下側アジャストボルト１４の内部まで到達する形態で設けられている。
【００２０】
図３は、上側アジャストボルト１３とロッド部材１９、下側アジャストボルト１４の組み付けを説明するための分解図である。ロッド部材１９は、上方から順に角頭ロッド２０、延長パイプ２１、六角ロッド２２によって一体に構成されている。図３に示すように、角頭ロッド２０は、上側アジャストボルト１３に挿入され、上側アジャストボルト１３の下方に突出した下端部は延長パイプ２１に挿入されて、かしめ部２１ａにて外部からかしめられて固定されている（図２参照）。六角ロッド２２の上端部は延長パイプ２１に挿入されて、かしめ部２１ｂにて外部からかしめられて固定されている。また、角頭ロッド２０は、前述のとおり、その角頭部２０ａが突出するように上側アジャストボルト１３に貫入されており、上側アジャストボルト１３の貫通孔は、断面形状が円形であるため、上側アジャストボルト１３に対して独立して回動可能とされている。また、角頭部２０ａの下端面２３と、その下端面２３と対向する上側アジャストボルト１３の上端面との間には、波ワッシャー２４および小ワッシャー２５が挿入されている（図２参照）。さらに、上側アジャストボルト１３の下端面と延長パイプ２１の上端面との間には小ワッシャー２６が挿入されている（図２参照）。
【００２１】
一方、六角柱状の六角ロッド２２は、その下端部が略同じ断面形状の下側アジャストボルト１４の六角柱状の穴に挿入されて若干の間隙を有しながらかみ合っており、六角ロッド２２と下側アジャストボルト１４の相対回転が規制されている。よって、六角ロッド２２は、下側アジャストボルト１４に垂直方向に相対摺動可能とされ、かつ、回転時には下側アジャストボルト１４と一体となって回動するようになっている（図２参照）。
【００２２】
図４は、図２のＢ−Ｂ線における断面図であって、上側の固定部材１０の構成を説明する図である。なお、固定部材１０，１１はパイプナット１２の上下端近傍にそれぞれ設けられており、その構成は同様であるので、ここでは上端近傍の固定部材１０を例として説明し、下側の固定部材１１の詳細な図示は省略する。また、図４では、固定部材１０が単体としてのパイプナット１２の外周に固定されている状態を示しており、パイプナット１２内に挿入されるロッド部材１９や胴体部２等の部材は省略されている。
【００２３】
図４に示すように、固定部材１０は断面視において外形が釣り鐘を横にしたような形状であるパイプ受け２７を備え、パイプ受け２７にはパイプナット１２の径と略同径の挿入孔２８が形成されている。さらに、パイプ受け２７の内部には、ストッパー２９がパイプナット１２の外壁を貫通してパイプナット１２の内空部にその一部が突出する突出部３０を有する形態で設けられている。ストッパー２９は、ゴムや合成樹脂等からなる弾性体である。よって、胴体部２へ固定された時（図２における態様時）には、挿入孔２８のパイプナット１２のさらに内側に挿入される上側アジャストボルト１３の外周を、ストッパー２９の突出部３０が押し付けるようにして固定できるようになっている。このように構成される固定部材１０は、図２に示すようにねじ３３でパイプナット１２を固定し、一端側（図４における右端側）をスペーサ３１を介して、ねじ３２によってドラム１の胴体部２の外周に取付け固定されている。
【００２４】
また、パイプナット１２の下端近傍に設けられる固定部材１１は、固定部材１０と同様の構成によって下側アジャストボルト１４の外周をストッパーが押し付けるようにして固定できるようになっている。そして、上記と同様の構成によって、ドラム１の胴体部２の外周に取付け固定されている。
【００２５】
次に、以上のように構成されるヘッド調整装置５による各ヘッド３，４の張りの調整方法、およびその動作・作用について、図２を参照しながら説明する。
まず、上側ヘッド３の張りを調整する際には、上側アジャストボルト１３の頭部１３ａをチューニングキー大（不図示）によって回転させて行う。例えば、上側ヘッド３を張る方向にチューニングする場合、上側アジャストボルト１３の頭部１３ａを右回りに回転させて、上側アジャストボルト１３とパイプナット１２との螺合量を増加するよう調整する。すると、上側アジャストボルト１３はその回転量に応じて下降し、それに伴い上側アジャストボルト１３の頭部１３ａの下面が上側フープ７を下方へ押し付けて、さらに上側フープ７が上側ヘッド枠６を下方へ押し付けて、上側ヘッド枠６を軸線に沿う下方へ移動させる。よって、上側ヘッド枠６に保持された上側ヘッド３は、下方へ引っ張られるようにして張る方向に調整される。
【００２６】
なお、ここで、上側アジャストボルト１３が回転しながら下降すると、それに伴ってロッド部材１９（角頭ロッド２０、延長パイプ２１、六角ロッド２２）も下降する。ただし、角頭ロッド２０は上側アジャストボルト１３に独立して回動可能とされているため、上側アジャストボルト１３が回転してもそれに従動して回転することはなく、上側アジャストボルト１３と連動して下降するのみである。一方、ロッド部材１９を構成している六角ロッド２２は、下側アジャストボルト１４の内周面に対して摺動して下降移動し、六角ロッド２２自体が回転することはないため、下側アジャストボルト１４はなんら影響を受けることがない。また、下側アジャストボルト１４は、固定部材１１のストッパーにより回転が規制されているため、上側アジャストボルト１３が回転しても、ロッド部材１９の回転は下側アジャストボルト１４により規制される。
【００２７】
また、上側ヘッド３を緩める方向にチューニングする場合は、上側アジャストボルト１３の頭部１３ａを左回りに回転させれば、上記と逆の作用によって張りを緩めることができる。すなわち、上側アジャストボルト１３の頭部１３ａを左回りに回転させれば、上側アジャストボルト１３とパイプナット１２との螺合量が減少して上側アジャストボルト１３は上昇する。そして、上側フープ７を下方へ押し付けていた力が徐々に緩和されて、上記と逆の行程により上側ヘッド枠６を軸線に沿う上方へ移動させる。よって、上側ヘッド３は緩める方向に調整される。
【００２８】
一方、下側ヘッド４の張りを調整する際には、角頭ロッド２０の角頭部２０ａをチューニングキー小（不図示）によって回転させて行う。角頭ロッド２０の角頭部２０ａを回転させると、それに伴い一体化されたロッド部材１９の各部材（延長パイプ２１、六角ロッド２２）が回転する。さらに、六角ロッド２２と嵌合している下側アジャストボルト１４が回転する。
【００２９】
ここで、例えば、下側ヘッド４を張る方向にチューニングする場合、角頭ロッド２０を左回りに回転し、下側アジャストボルト１４を右回り（図２で下方から見た場合の右回り、つまりボルト単体で見た場合の正規の右回りとする。）に回転させて、下側アジャストボルト１４とパイプナット１２との螺合量を増加するよう調整する。すると、下側アジャストボルト１４はその回転量に応じて上昇し、それに伴い下側アジャストボルト１４の頭部１４ａの上面が下側フープ９を上方へ押し付けて、さらに下側フープ９が下側ヘッド枠８を上方へ押し付けて、下側ヘッド枠８を軸線に沿う上方へ移動させる。よって、下側ヘッド枠８に保持された下側ヘッド４は、上方へ引っ張られるようにして張る方向に調整される。
【００３０】
また、下側アジャストボルト１４が回転しながら上方へ移動する時、回転方向の力や芯のずれによって下側アジャストボルト１４に嵌合しているロッド部材１９（角頭ロッド２０、延長パイプ２１、六角ロッド２２）は、上向きの軸方向荷重を受ける。この軸方向荷重は、延長パイプ２１の上面と小ワッシャー２６を介して当接する上側アジャストボルト１３の下端面で受けることとなる。
【００３１】
また、下側ヘッド４を緩める方向にチューニングする場合は、下側アジャストボルト１４の頭部１４ａが左回り（図２で下方から見た場合の左回り、つまりボルト単体で見た場合の正規の左回りとする。）に回転するように角頭ロッド２０の角頭部２０ａを右回りに回転させれば、上記と逆の作用によって張りを緩める方向に調整することができる。なお、動作・作用は上下が逆である以外は前述とほぼ同様のため、詳しい説明は省略する。
【００３２】
なお、本実施形態では、右ねじが切ってある下側アジャストボルト１４が頭部１４ａを下にして配置されているため、上方から角頭ロッド２０を左回りに回転させると下側ヘッド４の張りが徐々にきつくなり、右回りに回転させると徐々に緩くなるようになっている。
【００３３】
また、ドラム１をドラムセットにセット後の場合には、下側ヘッド４の張りの調整を表面側から行う必要があるため、表面側から角頭ロッド２０の角頭部２０ａを操作するものとして説明してきたが、セット前であれば、床に置いた状態で直接下側アジャストボルト１４の頭部１４ａを操作して調整することはもちろん可能である。
【００３４】
上記実施形態では、以下のような効果を得ることができる。
（１）上記実施形態では、ロッド部材１９は、角頭ロッド２０、延長パイプ２１、六角ロッド２２が一体化して構成される。そしてロッド部材１９の上部が上側アジャストボルト１３に対して独立して回動可能に上側アジャストボルト１３に貫入され、下部が下側アジャストボルト１４に垂直方向に相対摺動可能にかつ下側アジャストボルト１４と一体に回動するように連結されている。この構成により、角頭ロッド２０の角頭部２０ａを回転操作することにより、その回転が下側アジャストボルト１４に伝達されるため、ドラム１の表面側から下側ヘッド４の張りを調整することができる。よって、ドラムセットにセット前の段階では、上側アジャストボルト１３の頭部１３ａおよび下側アジャストボルト１４の頭部１４ａを直接操作して各ヘッド３，４のチューニングを行い、セット後の下側ヘッド４の張りの微調整時には、角頭ロッド２０の角頭部２０ａを操作してドラムの表面側から下側ヘッド４の調整を再度行うことができる。
【００３５】
（２）上記実施形態では、角頭ロッド２０は延長パイプ２１に挿入されて外部からかしめられており、上側アジャストボルト１３の下端面と延長パイプ２１の上端面とが小ワッシャー２６を介して当接するように構成されている。このため、角頭ロッド２０は上側アジャストボルト１３に対して位置決めされ、下側アジャストボルト１４が回転しながら上昇する際に回転軸のずれや摩擦によって発生する軸方向荷重を、上側アジャストボルト１３の下端面で受けることとなる。よって、例えば従来例に示す構造（図６）において軸方向荷重を一点（図６におけるピン５４）で受ける場合と比べても明らかなように、軸方向荷重に対する強度性および耐久性を確保することができる。
【００３６】
また、ロッド部材１９の延長パイプ２１は、下部に配置される六角ロッド２２に比較して径が太く、従来のような全体をロッドで構成したものに比較して剛性が高く、軸周りの回転に対するねじれが少ない。そのため、フロアタムやバスドラムのような延長パイプ２１の部分が長くなる構成となっても、角頭ロッド２０の角頭部２０ａに加えられた回転力を、下側アジャストボルト１４へ効率よく伝達できる。そのため、耐久性を高めることができるとともに、角頭部２０ａにおける調整の操作感をダイレクトな感覚とすることができるという効果がある。
【００３７】
さらに、延長パイプ２１自体が、角頭ロッド２０の上側アジャストボルト１３に対する位置決めの手段、及び上向きの荷重を受ける手段として機能するため、別途部材を設ける必要がなく、部品点数が少なく製造も容易になるという効果がある。
【００３８】
（３）上記実施形態では、ロッド部材１９を角頭ロッド２０、延長パイプ２１、六角ロッド２２が一体化して構成されるものとしている。よって、延長パイプ２１の長さを適宜変更すれば、大きさ（高さ方向長さ）の異なる種々のドラムに対応するヘッド調整装置とすることができる。
【００３９】
（４）上記実施形態では、上側アジャストボルト１３の下端面と延長パイプ２１の上端面との間に小ワッシャー２６を設けている。これにより、上側アジャストボルト１３の回転がよりスムーズとなり、軽い力でチューニング操作をすることができる。
【００４０】
（５）上記実施形態では、角頭ロッド２０の角頭部２０ａの下端面２３と、その下端面２３と対向する上側アジャストボルト１３の上端面との間には、波ワッシャー２４が設けられている。これにより、角頭ロッド２０のがたつきを防止するとともに、回転時のノイズの発生を防止することができる。
【００４１】
（６）上記実施形態では、固定部材１０，１１において、弾性部材としてのストッパー２９がパイプナット１２の外壁を貫通してパイプナット１２の内空部に一部が突出する突出部３０を形成する形態で設けられている。この構成により、突出部３０が各アジャストボルト１３，１４の外周を押し付けるようにして固定する。よって、各アジャストボルト１３，１４の緩み防止を図ることができる。特に、角頭ロッド２０の角頭部２０ａを回転させた場合でも、これに伴って上側アジャストボルト１３が回転することを防止して、角頭部２０ａによる下側ヘッド４の張りの調整を容易にすることができるという効果がある。
【００４２】
また、ストッパー２９は、固定部材１０，１１とパイプナット１２との組み付け時の位置決め機能を併せ持つため、組み付けを容易にすることができる。
なお、上記実施形態は以下のような別の形態（別例）に変更してもよい。
【００４３】
・上記実施形態における下側アジャストボルト１４は右ねじとしたが、これに代えて左ねじとしても良い。この場合、角頭ロッド２０の角頭部２０ａを右回りに回転させると下側ヘッド４の張りが徐々にきつくなり、左回りに回転させると徐々に緩くなるように構成することができる。
【００４４】
・上記実施形態のパイプナット１２は、延長パイプ２１を収容する筒状として構成したが、パイプナット１２において固定部材１０，１１が固定される箇所のみをカバーする２つの独立したパイプナットとして構成しても良い。
【００４５】
・上記実施形態では、六角ロッド２２と下側アジャストボルト１４を別部材として構成したが、これに代えて、図５に示すように六角ロッド２２と下側アジャストボルト１４を一体化して１つの部材として構成しても良い。この場合、角頭ロッドが一体化された下側アジャストボルト３４に対して、下部断面形状が六角形に形成された延長パイプ３５を外嵌する構成とすることにより、上記実施形態と同様の効果を奏する。
【００４６】
・上記実施形態では、角頭ロッド２０の角頭部２０ａの下端面２３と、その下端面２３と対向する上側アジャストボルト１３の上端面との間には、波ワッシャー２４が設けられている。この波ワッシャーに代えて、ばねワッシャーや皿ばね等の弾性部材として構成しても良く、波ワッシャーの場合と同様の効果を奏する。
【図面の簡単な説明】
【００４７】
【図１】本実施形態のドラムを示す全体斜視図。
【図２】図１のＡ−Ａ線における部分断面図であって、本実施形態の要部構成を説明する図。
【図３】上側アジャストボルトとロッド部材、下側アジャストボルトの組み付けを説明するための分解図。
【図４】図２のＢ−Ｂ線における断面図であって、上側の固定部材の構成を説明する図。
【図５】別の実施形態における延長パイプと下側アジャストボルトの嵌合を示す図。
【図６】従来例のヘッド調整機構を説明する要部断面図。
【符号の説明】
【００４８】
１…ドラム、２…胴体部、３…上側ヘッド、４…下側ヘッド、５…ヘッド調整装置、１０，１１…固定部材、１２…パイプナット（筒状部材）、１２ａ…雌ねじ部（第１の螺合部）、１２ｂ…雌ねじ部（第２の螺合部）、１３…上側アジャストボルト（第１のボルト）、１４…下側アジャストボルト（第２のボルト）、１９…ロッド部材、２０…角頭ロッド（上側ロッド）、２０ａ…角頭部（頭部、角頭ロッドの頭部）、２１…延長パイプ（円柱部、パイプ）、２２…六角ロッド（下側ロッド）、２３…下端面（角頭ロッドの頭部の下端面）、２４…波ワッシャー、２６…小ワッシャー（ワッシャー）、２９…ストッパー、３０…突出部。
【図１】
2005189350.tif 000003
【図２】
2005189350.tif 000004
【図３】
2005189350.tif 000005
【図４】
2005189350.tif 000006
【図５】
2005189350.tif 000007
【図６】
2005189350.tif 000008